(57)【要約】【課題】体液が吸収体全体に拡散して吸収量を向上させるとともに、体液の漏れを防止し、装着性を良好にする。【解決手段】少なくとも体液排出部Ｈに対応する領域の両側に、生理用ナプキン１の長手方向に沿って延びるとともに、透液性表面シート３から吸収体４にかけて窪ませた表面エンボス１０と、前記表面エンボス１０より幅方向中央側に離間した位置で前記表面エンボス１０に沿って延びるとともに、吸収体４を窪ませて透液性表面シート３と吸収体４との間に空間部１２を形成する吸収体エンボス１１とを備える。前記吸収体エンボス１１は、中高部６を通る位置において、中高部６及び吸収体４を一体的に窪ませて形成されている。【選択図】図１
2018166842.tif 000002
【特許請求の範囲】
【請求項１】
透液性表面シートと不透液性裏面シートとの間に吸収体が介在された吸収性物品において、
少なくとも体液排出部に対応する領域の両側に、吸収性物品の長手方向に沿って延びるとともに、前記透液性表面シートから前記吸収体にかけて窪ませた表面エンボスと、前記表面エンボスより幅方向中央側に離間した位置で前記表面エンボスに沿って延びるとともに、前記吸収体を窪ませて前記透液性表面シートと吸収体との間に空間部を形成する吸収体エンボスとが備えられていることを特徴とする吸収性物品。
【請求項２】
体液排出部に対応する領域に、肌側に増厚した前記吸収体の中高部が形成され、
前記吸収体エンボスは、前記中高部を通る位置において、前記中高部及び吸収体を一体的に窪ませて形成されている請求項１記載の吸収性物品。
【請求項３】
前記表面エンボスと前記吸収体エンボスとの吸収性物品の幅方向の離間距離は、５〜１５ｍｍである請求項１、２いずれかに記載の吸収性物品。
【請求項４】
前記吸収体エンボスは、前記体液排出部に対応する領域を含むとともに、前記表面エンボスの長さの１／２以上の長さで形成されている請求項１〜３いずれかに記載の吸収性物品。
【請求項５】
前記吸収体エンボスの後端部は、圧搾部と非圧搾部とが交互に配置された破線状に形成されている請求項１〜４いずれかに記載の吸収性物品。
【請求項６】
両側の前記吸収体エンボスは、前端同士が接続している請求項１〜５いずれかに記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは透液性表面シートの表面側から窪ませた表面エンボスと、前記表面エンボスより内側に離間した位置で前記表面エンボスに沿って延びるとともに、吸収体を窪ませた吸収体エンボスとが備えられた吸収性物品に関する。
【背景技術】
【０００２】
従来より、上記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
排血量が多い人や、職業上長時間に亘って持ち場を離れられない人などにとっては、夜用タイプの生理用ナプキンが必需品となっている。このタイプの生理用ナプキンは、通常のものより高い吸水能力と、吸収した体液を漏らさずに吸収保持できる能力とが要求される。
【０００４】
この種の吸収性物品にも幾多の改良が重ねられ、体液漏れを防止するとともに、装着時に身体の形状に沿って吸収性物品を変形しやすくする等のため、肌当接面側から非肌側に向けて窪ませた圧搾溝を種々の形態で形成する技術が提案されている。
【０００５】
例えば下記特許文献１においては、吸収層は、肌当接面側に溝を備える離間部と、該離間部によって区画された該離間部よりも高坪量である小吸収部とを有し、前記溝が吸収性物品の長手方向とこれに直交する幅方向それぞれに連続的に延びていて、これらによって四方を囲まれたブロック状の吸収体部分である小吸収部が格子状に配置された吸収性物品が開示されている。
【０００６】
また、下記特許文献２においては、圧搾溝として、環状の第１圧搾溝と、前記第１圧搾溝の内部に配置されている環状の第２圧搾溝とを有している吸収性物品が開示されている。
【先行技術文献】
【特許文献】
【０００７】
【特許文献１】特開２０１４−９７２４１号公報
【特許文献２】特開２０１２−５５５６５号公報
【発明の概要】
【発明が解決しようとする課題】
【０００８】
しかしながら、上記特許文献１に記載の吸収性物品では、吸収層に形成された溝が、長手方向及び幅方向に連続的に延びているため、溝に沿って体液が拡散しやすく、吸収体の端部から漏れるおそれがあった。また、溝が長手方向及び幅方向に連続的に形成された吸収体における体液の拡散は、体液の通り道が一つできると、それに追随して拡散するようになるため、吸収体全体に体液が拡散しにくく、吸収量が劣るという課題があった。
【０００９】
また、上記特許文献２に記載の吸収性物品では、表面シートの表面側からの圧搾により内側と外側に２重の圧搾溝が形成されているため、装着性が悪くなる欠点があった。つまり、通常の生理用ナプキンでは、排血口部に対するフィット性の向上のため、吸収体を増厚した中高部が設けられるとともに、この中高部の形状保持などのため、中高部の周囲を囲うように環状のエンボスが設けられている。これによって、環状のエンボスのうち、両側の長手方向に沿って延びるエンボスラインを可撓軸として、中央部が着用者の排血口部にフィットするように肌側に隆起するとともに、両側部が脚の付け根の内側にフィットするように非肌側に変形する。ところが、上記特許文献２に記載の吸収性物品では、中高部を囲う環状の圧搾溝の外側に、更に環状の圧搾溝が形成されているため、内側の圧搾溝を可撓軸として変形した両側部分に外側の圧搾溝が存在するようになり、この外側の圧搾溝が脚の付け根の内側部分に当たって擦れやすく、装着性が悪化すると考えられる。
【００１０】
そこで本発明の主たる課題は、体液が吸収体全体に拡散して吸収量が向上できるようにするとともに、体液の漏れが防止でき、装着性が良好な吸収性物品を提供することにある。
【課題を解決するための手段】
【００１１】
上記課題を解決するために請求項１に係る本発明として、透液性表面シートと不透液性裏面シートとの間に吸収体が介在された吸収性物品において、
少なくとも体液排出部に対応する領域の両側に、吸収性物品の長手方向に沿って延びるとともに、前記透液性表面シートから前記吸収体にかけて窪ませた表面エンボスと、前記表面エンボスより幅方向中央側に離間した位置で前記表面エンボスに沿って延びるとともに、前記吸収体を窪ませて前記透液性表面シートと吸収体との間に空間部を形成する吸収体エンボスとが備えられていることを特徴とする吸収性物品が提供される。
【００１２】
上記請求項１記載の発明では、少なくとも体液排出部に対応する領域の両側に、吸収性物品の長手方向に沿って延びる表面エンボスと、この表面エンボスより幅方向中央側に離間した位置で前記表面エンボスに沿って延びる吸収体エンボスとが備えられている。前記表面エンボスは、透液性表面シートから吸収体にかけて一体的に窪ませた凹溝である。一方、前記吸収体エンボスは、前記吸収体を窪ませて透液性表面シートと吸収体との間に空間部が形成されるようにした凹溝である。従って、吸収体に吸収され吸収体内を幅方向外側に拡散する体液は、前記吸収体エンボスにおいて吸収体エンボスに沿った吸収性物品の長手方向への拡散に変換される。このため、吸収体の広い範囲に体液が拡散でき、体液の吸収量が向上する。また、透液性表面シートの表面を幅方向外側に流れる体液は、表面エンボスに入り込んで幅方向外側への流れが塞き止められるとともに、この表面エンボスに沿って吸収性物品の長手方向に拡散しながら、吸収体に吸収保持されるようになる。
【００１３】
更に、本吸収性物品は、装着状態で、前記表面エンボスを可撓軸として、中央部が体液排出部にフィットするように肌側に隆起するとともに、両側部が脚の付け根の内側にフィットするように非肌側に変形する。このとき、表面エンボスの内側に吸収体エンボスが設けられ、表面エンボスより外側にはエンボス部が形成されていないため、表面エンボスより外側部分が脚の付け根の内側に柔らかくフィットし、装着性が良好になるとともに、表面エンボスより内側では、表面がほぼ平坦に形成されているため、体液排出部に隙間なく密着して装着性が良好になる。
【００１４】
請求項２に係る本発明として、体液排出部に対応する領域に、肌側に増厚した前記吸収体の中高部が形成され、
前記吸収体エンボスは、前記中高部を通る位置において、前記中高部及び吸収体を一体的に窪ませて形成されている請求項１記載の吸収性物品が提供される。
【００１５】
上記請求項２記載の発明では、体液排出部に対応する領域に、肌側に増厚した吸収体の中高部が形成された吸収性物品において、前記吸収体エンボスは、前記中高部を通る位置において、前記中高部及び吸収体を一体的に窪ませることにより形成している。このように、前記吸収体エンボスは、中高部が設けられた中央部を肌側にフィットさせる表面エンボスより幅方向中央側に形成されるものであり、装着時に吸収体を変形させるというものではなく、吸収体に吸収された体液を吸収性物品の長手方向に拡散させるという役割を担うために設けられている。
【００１６】
請求項３に係る本発明として、前記表面エンボスと前記吸収体エンボスとの吸収性物品の幅方向の離間距離は、５〜１５ｍｍである請求項１、２いずれかに記載の吸収性物品が提供される。
【００１７】
上記請求項３記載の発明では、表面エンボスと吸収体エンボスとの吸収性物品の幅方向の離間距離を５〜１５ｍｍとしている。この離間距離が５ｍｍ未満では、吸収体エンボスに沿って吸収性物品の長手方向に拡散する体液が、表面エンボスに移行しやすく、更に外側に拡散したときに漏れが発生するおそれがある。また、前記離間距離が１５ｍｍを超えると、吸収体エンボスが吸収性物品の中央部に位置するようになり、肌面への装着感が低下するおそれがある。
【００１８】
請求項４に係る本発明として、前記吸収体エンボスは、前記体液排出部に対応する領域を含むとともに、前記表面エンボスの長さの１／２以上の長さで形成されている請求項１〜３いずれかに記載の吸収性物品が提供される。
【００１９】
上記請求項４記載の発明では、吸収体に吸収された体液を吸収性物品の長手方向に確実に拡散させるため、吸収体エンボスを、前記体液排出部に対応する領域を含むとともに、前記表面エンボスの長さの１／２以上の長さで形成している。
【００２０】
請求項５に係る本発明として、前記吸収体エンボスの後端部は、圧搾部と非圧搾部とが交互に配置された破線状に形成されている請求項１〜４いずれかに記載の吸収性物品が提供される。
【００２１】
上記請求項５記載の発明では、吸収体エンボスに沿って吸収性物品の後方に拡散した体液が吸収体の後端から漏れるのを防止するため、吸収体エンボスの後端部を、圧搾部と非圧搾部とが交互に配置された破線状に形成することによって、、該吸収体エンボスに沿った体液の拡散を低減している。
【００２２】
請求項６に係る本発明として、両側の前記吸収体エンボスは、前端同士が接続している請求項１〜５いずれかに記載の吸収性物品が提供される。
【００２３】
上記請求項６記載の発明では、両側の吸収体エンボスの前端同士を接続することによって、体液排出部に対応する領域で吸収体に吸収された体液が吸収体エンボスに沿って吸収体の全体に拡散しやすしている。
【発明の効果】
【００２４】
以上詳説のとおり本発明によれば、体液が吸収体全体に拡散して吸収量が向上できるとともに、体液の漏れが防止でき、装着性が良好になる。
【図面の簡単な説明】
【００２５】
【図１】本発明に係る生理用ナプキン１の一部破断展開図である。
【図２】図１のII−II線矢視図である。
【図３】図１のIII−III線矢視図である。
【図４】生理用ナプキン１の装着状態を示す、図１のII−II線矢視図である。
【図５】吸収体４の平面図である。
【図６】変形例に係る吸収体４の平面図である。
【図７】変形例に係る吸収体４の平面図である。
【発明を実施するための形態】
【００２６】
以下、本発明の実施の形態について図面を参照しながら詳述する。
【００２７】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００２８】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２９】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３０】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３１】
前記サイド不織布７は、図２及び図３に示されるように、幅方向中間部より外側部分を所定の内側位置から不透液性裏面シート２の外縁までの範囲に亘ってホットメルトなどの接着剤によって接着し、これら前記サイド不織布７と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００３２】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、図２に示されるように、外側に傾斜しながら表面側に起立する直線状の立体ギャザーＢＳ、ＢＳが左右対で形成されている。
【００３３】
〔吸収体〕
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、２５０〜６５０ｇ／ｍ２、好ましくは３００〜４００ｇ／ｍ２とするのがよい。
【００３４】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３５】
前記吸収体４の肌側面には、肌側に増厚された吸収体の中高部６が形成されている。前記吸収体４及び中高部６は、それぞれ別個に製造した後、組立工程で積層してもよいし、吸収体を立体的に積繊することによって一体的に形成してもよい。また、吸収体４の上段に中高部６を積繊する二段積繊構造としてもよい。
【００３６】
前記中高部６は、吸収体４の肌側面に隣接するとともに、吸収体４の幅方向中央部に配置され、吸収体４より幅寸法及び長手寸法が小さく形成されている。前記中高部６の厚みは、厚すぎると剛性が上がり身体への密着性が低下するし、薄すぎると体液排出部Ｈとの密着性が低下するため３〜２５ｍｍ、好ましくは５〜１８ｍｍとするのがよい。また、前記中高部６が配置された部分の中高部６と吸収体４との合計目付は、４００〜９００ｇ／ｍ２、特に６００〜８００ｇ／ｍ２とするのがよい。
【００３７】
前記中高部６は、着用者の体液排出部Ｈを含む領域、具体的には体液排出部Ｈより前側及び後側に若干長い領域に形成されている。前記中高部６は、ナプキン前後方向に長い縦長に形成され、両側縁がナプキン長手方向に延びる直線で形成されている。
【００３８】
前記中高部６は、少なくともパルプ繊維と合成繊維とを含むとともに、前記パルプ繊維：合成繊維の比率を重量換算で８０〜２０：２０〜８０、好ましくは４０〜６０：６０〜４０で混合したものが望ましい。また、前記中高部６は吸水性ポリマーを含有することができる。前記吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する吸水性ポリマーは製造プロセスにおいて、架橋密度および架橋密度勾配を調整することにより吸水力と吸水速度の調整が可能である。配合量は中高部６が吸収体４側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、吸水性ポリマー含有率が５０％を超える場合にはパルプ繊維間の絡み合いが無くなり、シート強度が低下し破れや割れ等が発生し易くなるため望ましくない。
【００３９】
前記中高部６としては、図示しないが、着用者の体液排出部Ｈを含む領域から臀部溝を含む領域にかけて設けられた細長状のものを用いてもよい。
【００４０】
〔エンボス〕
本生理用ナプキン１では、少なくとも体液排出部Ｈに対応する領域の両側に、生理用ナプキン１の長手方向に沿って延びるとともに、透液性表面シート３から吸収体４にかけて窪ませた表面エンボス１０と、前記表面エンボス１０より幅方向中央側に離間した位置で前記表面エンボス１０に沿って延びるとともに、吸収体４を窪ませて透液性表面シート３と吸収体４との間に空間部１２を形成する吸収体エンボス１１とが備えられている。
【００４１】
前記表面エンボス１０は、透液性表面シート３の肌当接面側（表面側）からの圧搾により、透液性表面シート３から吸収体４にかけて一体的に窪ませた凹溝である。
【００４２】
前記吸収体エンボス１１は、吸収体４又は被包シート５で囲繞された吸収体４の肌当接面側（表面側）からの圧搾により、吸収体４のみ又は被包シート５及び吸収体４を窪ませるとともに、図２に示されるように、吸収体４の肌側面に透液性表面シート３を配置した状態で、透液性表面シート３と吸収体４との間に空間部１２が形成されるようにした凹溝である。
【００４３】
前記表面エンボス１０及び吸収体エンボス１１を備えることによって、本生理用ナプキン１では、以下の作用効果を奏する。体液排出部Ｈに対応する領域に排出された体液は、中高部６及び吸収体４に吸収された後、中高部６及び吸収体４内を拡散する。ここで、生理用ナプキン１の幅方向外側に拡散する体液は、前記吸収体エンボス１１において圧密化された繊維の毛管作用により吸収体エンボス１１に沿った生理用ナプキン１の長手方向への拡散に変換される。これによって、吸収体４の広い範囲に体液が拡散でき、体液の吸収量が増加できる。また、体液排出部Ｈに対応する領域において、吸収体４に吸収されずに、透液性表面シート３の表面を流れる体液は、表面エンボス１０に達すると、表面エンボス１０に入り込んで幅方向外側への流れが塞き止められるとともに、この表面エンボス１０に沿って生理用ナプキン１の長手方向に拡散しながら、吸収体４に吸収保持される。このようにして、体液が吸収体４の広い範囲に吸収されるため、体液の漏れが防止できる。
【００４４】
更に、本生理用ナプキン１は、装着状態で、前記表面エンボス１０を可撓軸として、中央部が体液排出部Ｈにフィットするように肌側に隆起するとともに、両側部が脚の付け根の内側にフィットするように非肌側に変形する。このとき、表面エンボス１０の内側に吸収体エンボス１１が設けられ、表面エンボス１０より外側にはエンボス部が形成されないため、表面エンボス１０より外側部分が脚の付け根の内側部分に柔らかくフィットし、装着性が良好になるとともに、表面エンボス１０より内側では、表面がほぼ平坦に形成されているため、体液排出部Ｈに隙間なく密着して装着性が良好になる。
【００４５】
また、前記吸収体エンボス１１は、吸収体４を窪ませることにより透液性表面シート３と吸収体４との間に空間部１２が形成されているため、吸収体エンボス１１に沿って拡散した体液が表面側に透けて見えにくく、隠蔽性が高くなる。そのため、着用者に漏れにくいという安心感を与えるようになる。
【００４６】
以下、前記表面エンボス１０及び吸収体エンボス１１について、更に詳細に説明する。
【００４７】
前記表面エンボス１０は、中高部６より生理用ナプキン１の外側位置に設けられている。体液排出部Ｈに対応する領域において、中高部６の両側に設けられた表面エンボス１０（後述する前側表面エンボス１０Ａ）は、中高部６の両側に近接して、中高部６より幅方向外側に設けられている。これにより、図４に示されるように、生理用ナプキン１の装着時に、両側から脚圧を受けることにより、前記表面エンボス１０を可撓軸として、中高部６が設けられた中央部が肌側に隆起するとともに、両側部が脚の付け根の内側にフィットするように変形する。
【００４８】
前記表面エンボス１０は、少なくとも体液排出部Ｈに対応する領域の両側に形成されていればよい。体液排出部Ｈに対応する領域とは、生理用ナプキン１の装着時に着用者の体液排出部Ｈが当接する部位を全て含む幅方向中央部の領域であり、そのナプキン長手方向の範囲は、両側にウイング状フラップＷが備えられたものでは、概ねこのウイング状フラップＷの長手範囲に相当する。図１に示される形態例では、前記表面エンボス１０は、体液排出部Ｈに対応する領域から臀部溝に対応する領域にかけて形成されている。
【００４９】
図１に示される生理用ナプキン１では、前記表面エンボス１０として、体液排出部Ｈに対応する領域から臀部溝に対応する領域にかけての両側部にそれぞれ、ナプキン１のほぼ長手方向に沿う連続線によって形成された前側表面エンボス１０Ａと、この前側表面エンボス１０Ａの後側に離間して配置されるとともに、臀部溝に対応する領域の両側部にそれぞれ、ナプキン１のほぼ長手方向に沿う連続線によって形成された後側表面エンボス１０Ｂと、前記前側表面エンボス１０Ａの前側に離間して配置されるとともに、生理用ナプキン１のほぼ幅方向に沿って形成された三日月形の平面形状からなる前端表面エンボス１０Ｃと、前記後側表面エンボス１０Ｂの後側に離間して配置されるとともに、ナプキン１の長手方向中心線を幅方向に横断し、後方に向けて突出する湾曲形の平面形状からなる後端表面エンボス１０Ｄとから構成されている。図示例では、前側表面エンボス１０Ａと後側表面エンボス１０Ｂとは離間して配置されているが、前記前側表面エンボス１０Ａと後側表面エンボス１０Ｂとを連続させた連続線で構成してもよい。
【００５０】
前記前側表面エンボス１０Ａは、図１に示されるように、少なくとも前記中高部６の両側に配置されるとともに、後端部が着用者の臀部溝の前側に若干かかる位置まで延在している。
【００５１】
前記前側表面エンボス１０Ａは、生理用ナプキン１の長手方向に沿う直線としてもよいが、装着時に隆起する中央部が人体の形状に沿ってフィットしやすいように１又は複数の部位で生理用ナプキン１の幅方向内側又は外側に突出した曲線部を有する形状で形成するのが好ましい。
【００５２】
前記前側表面エンボス１０Ａの後端は、幅方向内側に傾斜しているのが好ましい。後端が幅方向内側に傾斜することにより、前側表面エンボス１０Ａに沿って拡散した体液が、後端部で幅方向内側に向かう流れとなりやすく、更に後側に拡散したときに、幅方向外側への拡散が抑制され、吸収体４の側端からの漏れが防止できる。更に、前記前側表面エンボス１０Ａの後側に隣接する後側表面エンボス１０Ｂの前端は、前記前側表面エンボス１０Ａの後端より幅方向外側位置にて、幅方向外側に傾斜しているのが好ましい。これにより、前側表面エンボス１０Ａから後側表面エンボス１０Ｂに拡散した体液が、後側表面エンボス１０Ｂの幅方向内側に入り込みやすくなり、後側表面エンボス１０Ｂより幅方向外側への拡散がより確実に防止できる。
【００５３】
これと同様に、後側表面エンボス１０Ｂの後端と、後端表面エンボス１０Ｄの前端との関係についても、後側表面エンボス１０Ｂの後端が幅方向内側に傾斜するとともに、後端表面エンボス１０Ｄの前端が後側表面エンボス１０Ｂの後端より幅方向外側位置にて、幅方向外側に傾斜して形成するのが好ましい。
【００５４】
図５に示されるように、体液排出部Ｈに対応する領域における両側の表面エンボス１０、１０の離間距離Ｂは、装着時に表面エンボス１０、１０を可撓軸としてこれら表面エンボス１０、１０で挟まれた中央部を肌側に隆起させて体液排出部Ｈに密着させるようにするため、人体の体液排出部Ｈの幅とほぼ同等に形成するのが好ましい。具体的に、前記離間距離Ｂとしては、４０〜６０ｍｍ程度が好ましい。
【００５５】
次に、前記吸収体エンボス１１について、図５に基づいて説明すると、前記吸収体エンボス１１は、前記中高部６を通る位置において、図２に示されるように、前記中高部６及び吸収体４を一体的に窪ませることにより形成するのが好ましい。前記吸収体エンボス１１は、中高部６が設けられた中央部を肌側に隆起して肌面にフィットさせるという表面エンボス１０より幅方向中央側に形成されるものであり、装着時に吸収体を変形させるというものではなく、吸収体に吸収された体液を生理用ナプキン１の長手方向に拡散させるという役割を担うために設けられるものである。従って、前記吸収体エンボス１１は、着用者の体液排出部Ｈに密着して体液を吸収する中高部６の両側部を通る位置に配置することにより、中高部６に吸収された体液が素早く生理用ナプキン１の長手方向に拡散させることができ、幅方向に拡散して横漏れが生じるのが効果的に防止できるようになる。
【００５６】
前記吸収体エンボス１１は、前記表面エンボス１０と同様に、少なくとも体液排出部Ｈに対応する領域の両側に形成されていればよく、図５に示される形態例では、体液排出部Ｈに対応する領域から臀部溝に対応する領域にかけて形成されている。
【００５７】
図５に示される形態例では、前記吸収体エンボス１１として、体液排出部Ｈに対応する領域から臀部溝に対応する領域にかけての両側部にそれぞれ、ナプキン１のほぼ長手方向に沿う連続線によって形成された前側吸収体エンボス１１Ａと、この前側吸収体エンボス１１Ａの後側に離間して配置されるとともに、臀部溝に対応する領域の両側部にそれぞれ、ナプキン１のほぼ長手方向に沿う連続線によって形成された後側吸収体エンボス１１Ｂと、前記後側吸収体エンボス１１Ｂの後側に離間して配置されるとともに、ナプキン１の長手方向中心線を幅方向に横断し、後方に向けて突出する湾曲形の平面形状からなる後端吸収体エンボス１１Ｃとから構成されている。図示例では、前記前側表面エンボス１０Ａと後側表面エンボス１０Ｂとが離間して配置されているため、前側吸収体エンボス１１Ａと後側吸収体エンボス１１Ｂとが離間して配置されているが、前記前側表面エンボス１０Ａと後側表面エンボス１０Ｂとを連続させた連続線で構成した場合には、これと同じように、前側吸収体エンボス１１Ａと後側吸収体エンボス１１Ｂとを連続させた連続線で構成してもよい。
【００５８】
前記前側吸収体エンボス１１Ａは、図５に示されるように、少なくとも前記中高部６を通る位置に配置されるとともに、後端部が着用者の臀部溝の前側に若干かかる位置まで延在している。
【００５９】
前記吸収体エンボス１１の平面形状は、表面エンボス１０に沿う形状で形成されており、前記表面エンボス１０の平面形状とほぼ一致する形状又は類似する形状で形成するのが好ましい。前記吸収体エンボス１１が表面エンボス１０に沿う形状とは、表面エンボス１０と吸収体エンボス１１との生理用ナプキン１の幅方向の離間距離が、生理用ナプキン１の長手方向に沿ってほぼ一定に形成されたものである。前記表面エンボス１０と吸収体エンボス１１との離間距離をほぼ一定にすることにより、吸収体エンボス１１に沿って拡散する体液が、離間距離が短い部分で表面エンボス１０に向けて拡散し、この部分に体液が集中することによる漏れが防止できるようになる。
【００６０】
前記表面エンボス１０と吸収体エンボス１１との生理用ナプキン１の幅方向の離間距離Ａは、５〜１５ｍｍとするのが好ましい。前記離間距離Ａが５ｍｍ未満では、吸収体エンボス１１に沿って生理用ナプキン１の長手方向に拡散する体液が、外側の表面エンボス１０に移行しやすく、更に外側に拡散したときに漏れが発生するおそれがある。また、前記離間距離Ａが１５ｍｍを超えると、体液排出部Ｈに対応する領域の両側に配置された表面エンボス１０、１０の離間距離（中高部６の幅）が人体の体液排出部Ｈの幅とほぼ同等に形成されている関係上、両側の吸収体エンボス１１が生理用ナプキン１の中央部で接近するようになり、体液排出部Ｈに密着したときに吸収体エンボス１１の硬さを感じやすく、肌面への装着感が低下するおそれがある。
【００６１】
体液排出部Ｈに対応する領域に設けられた前記吸収体エンボス１１（前側吸収体エンボス１１Ａ）は、体液排出部Ｈに対応する領域を含むとともに、この体液排出部Ｈに対応する領域に設けられた前記表面エンボス１０（前側表面エンボス１０Ａ）の長さの１／２以上の長さで形成するのが好ましい。これにより、体液排出部Ｈに対応する領域において吸収体４及び中高部６に吸収された体液を、生理用ナプキン１の長手方向に確実に拡散させることができ、幅方向端部からの漏れが確実に防止できるようになる。
【００６２】
前記表面エンボス１０と、この表面エンボス１０の内側に沿って設けられた吸収体エンボス１１とは、前端及び後端のいずれか一方又は両方が生理用ナプキン１の幅方向に対してほぼ一致する位置に形成してもよいし、吸収体エンボス１１の方が表面エンボス１０より短く形成してもよい。表面エンボス１０と吸収体エンボス１１との前端及び後端のいずれか一方又は両方が生理用ナプキン１の幅方向にほぼ一致する位置に形成することにより、身体へのフィット性が良好になり、体液を吸収体全体に拡散させることができるようになる。これらの端縁が生理用ナプキン１の幅方向にほぼ一致するとは、端縁同士のナプキン長手方向の離間距離が５ｍｍ以内、好ましくは３ｍｍ以内にあることを意味する。図５に示される形態例では、前側表面エンボス１０Ａと、この前側表面エンボス１０Ａの内側に沿って設けられた前側吸収体エンボス１１Ａとは、前端及び後端が生理用ナプキン１の幅方向にほぼ一致する位置に形成されている。また、後側表面エンボス１０Ｂと、この後側表面エンボス１０Ｂの内側に沿って設けられた後側吸収体エンボス１１Ｂとは、前端及び後端が生理用ナプキン１の幅方向にほぼ一致する位置に形成されている。一方、後端表面エンボス１０Ｄと、この後端表面エンボス１０Ｄの内側に沿って設けられた後端吸収体エンボス１１Ｃとは、前端及び後端が生理用ナプキン１の幅方向に一致せず、後端吸収体エンボス１１Ｃの方が後端表面エンボス１０Ｄより短く形成されている。
【００６３】
前記吸収体エンボス１１の後端部（後端吸収体エンボス１１Ｃ）は、図５に示されるように、溝方向に沿って、圧搾部と非圧搾部とが交互に配置された破線状に形成するのが好ましい。これにより、後端吸収体エンボス１１Ｃにおいて、体液が溝方向に沿って拡散するのが抑制され、体液が後端部に集中して吸収体４の後端から漏れるのが防止できる。図５に示される例では、後端吸収体エンボス１１Ｃが吸収体４の後端部に独立的に配置されているため、この後端吸収体エンボス１１Ｃ全体を破線状に形成しているが、吸収体エンボス１１が前側から連続する連続線状に形成される場合には、この連続線の後端部の一定長さ部分を破線状に形成することができる。
【００６４】
なお、前記後端吸収体エンボス１１Ｃは、図６に示されるように、連続線状に形成してもよい。
【００６５】
上記形態例では、図５に示されるように、両側の吸収体エンボス１１、１１（前側吸収体エンボス１１Ａ、１１Ａ）は、前端が長手方向中心線の両側にそれぞれ配置されることにより左右に離間しているが、図７に示されるように、前端同士が接続するようにしてもよい。すなわち、一方側の前側吸収体エンボス１１Ａの前端と、他方側の前側吸収体エンボス１１Ａの前端とを結ぶ生理用ナプキン１の前側に突出する曲線からなる前端吸収体エンボス１１Ｄを設けてもよい。両側の吸収体エンボス１１、１１を前端で連続させることによって、体液排出部Ｈに対応する領域で吸収体４に吸収された体液が、吸収体エンボス１１、１１に沿って吸収体４の全体に拡散しやすくなる。
【００６６】
前記吸収体エンボス１１は、少なくとも体液排出部Ｈに対応する領域において連続線で形成するのが望ましく、少なくとも前記前側吸収体エンボス１１Ａを連続線で形成するのがより望ましい。それ以外の部分は、連続線でもよいし間欠的な破線でもよい。
【００６７】
前記表面エンボス１０及び吸収体エンボス１１は、凹溝の底面が平坦に形成された全長に亘ってほぼ均一に圧搾されたものでもよいし、凹溝の底面に凹凸が設けられた高圧搾部と低圧搾部とを備えるものでもよい。
【符号の説明】
【００６８】
１…生理用ナプキン、２…不透液性裏面シート、３…透液性表面シート、４…吸収体、５…被包シート、６…中高部、７…サイド不織布、９…糸状弾性伸縮部材、１０…表面エンボス、１１…吸収体エンボス、１２…空間部
【図１】
2018166842.tif 000003
【図２】
2018166842.tif 000004
【図３】
2018166842.tif 000005
【図４】
2018166842.tif 000006
【図５】
2018166842.tif 000007
【図６】
2018166842.tif 000008
【図７】
2018166842.tif 000009
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
透液性表面シートと不透液性裏面シートとの間に吸収体が介在された吸収性物品において、
少なくとも体液排出部に対応する領域の両側に、吸収性物品の長手方向に沿って延びるとともに、前記透液性表面シートから前記吸収体にかけて窪ませた表面エンボスと、前記表面エンボスより幅方向中央側に離間した位置で前記表面エンボスに沿って延びるとともに、前記吸収体を窪ませて前記透液性表面シートと吸収体との間に空間部を形成する吸収体エンボスとが備えられており、
体液排出部に対応する領域に、肌側に増厚した前記吸収体の中高部が形成され、
前記吸収体エンボスは、前記中高部を通る位置において、前記中高部及び吸収体を一体的に窪ませて形成されていることを特徴とする吸収性物品。
【請求項２】
前記表面エンボスと前記吸収体エンボスとの吸収性物品の幅方向の離間距離は、５〜１５ｍｍである請求項１記載の吸収性物品。
【請求項３】
前記吸収体エンボスは、前記体液排出部に対応する領域を含むとともに、前記表面エンボスの長さの１／２以上の長さで形成されている請求項１、２いずれかに記載の吸収性物品。
【請求項４】
前記吸収体エンボスの後端部は、圧搾部と非圧搾部とが交互に配置された破線状に形成されている請求項１〜３いずれかに記載の吸収性物品。
【請求項５】
両側の前記吸収体エンボスは、前端同士が接続している請求項１〜４いずれかに記載の吸収性物品。
【手続補正２】
【補正対象書類名】明細書
【補正対象項目名】全文
【補正方法】変更
【補正の内容】
【発明の詳細な説明】
【技術分野】
【０００１】
本発明は、主には生理用ナプキン、おりものシート、失禁パッド、トイレタリー等に使用される吸収性物品であって、詳しくは透液性表面シートの表面側から窪ませた表面エンボスと、前記表面エンボスより内側に離間した位置で前記表面エンボスに沿って延びるとともに、吸収体を窪ませた吸収体エンボスとが備えられた吸収性物品に関する。
【背景技術】
【０００２】
従来より、上記吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
排血量が多い人や、職業上長時間に亘って持ち場を離れられない人などにとっては、夜用タイプの生理用ナプキンが必需品となっている。このタイプの生理用ナプキンは、通常のものより高い吸水能力と、吸収した体液を漏らさずに吸収保持できる能力とが要求される。
【０００４】
この種の吸収性物品にも幾多の改良が重ねられ、体液漏れを防止するとともに、装着時に身体の形状に沿って吸収性物品を変形しやすくする等のため、肌当接面側から非肌側に向けて窪ませた圧搾溝を種々の形態で形成する技術が提案されている。
【０００５】
例えば下記特許文献１においては、吸収層は、肌当接面側に溝を備える離間部と、該離間部によって区画された該離間部よりも高坪量である小吸収部とを有し、前記溝が吸収性物品の長手方向とこれに直交する幅方向それぞれに連続的に延びていて、これらによって四方を囲まれたブロック状の吸収体部分である小吸収部が格子状に配置された吸収性物品が開示されている。
【０００６】
また、下記特許文献２においては、圧搾溝として、環状の第１圧搾溝と、前記第１圧搾溝の内部に配置されている環状の第２圧搾溝とを有している吸収性物品が開示されている。
【先行技術文献】
【特許文献】
【０００７】
【特許文献１】特開２０１４−９７２４１号公報
【特許文献２】特開２０１２−５５５６５号公報
【発明の概要】
【発明が解決しようとする課題】
【０００８】
しかしながら、上記特許文献１に記載の吸収性物品では、吸収層に形成された溝が、長手方向及び幅方向に連続的に延びているため、溝に沿って体液が拡散しやすく、吸収体の端部から漏れるおそれがあった。また、溝が長手方向及び幅方向に連続的に形成された吸収体における体液の拡散は、体液の通り道が一つできると、それに追随して拡散するようになるため、吸収体全体に体液が拡散しにくく、吸収量が劣るという課題があった。
【０００９】
また、上記特許文献２に記載の吸収性物品では、表面シートの表面側からの圧搾により内側と外側に２重の圧搾溝が形成されているため、装着性が悪くなる欠点があった。つまり、通常の生理用ナプキンでは、排血口部に対するフィット性の向上のため、吸収体を増厚した中高部が設けられるとともに、この中高部の形状保持などのため、中高部の周囲を囲うように環状のエンボスが設けられている。これによって、環状のエンボスのうち、両側の長手方向に沿って延びるエンボスラインを可撓軸として、中央部が着用者の排血口部にフィットするように肌側に隆起するとともに、両側部が脚の付け根の内側にフィットするように非肌側に変形する。ところが、上記特許文献２に記載の吸収性物品では、中高部を囲う環状の圧搾溝の外側に、更に環状の圧搾溝が形成されているため、内側の圧搾溝を可撓軸として変形した両側部分に外側の圧搾溝が存在するようになり、この外側の圧搾溝が脚の付け根の内側部分に当たって擦れやすく、装着性が悪化すると考えられる。
【００１０】
そこで本発明の主たる課題は、体液が吸収体全体に拡散して吸収量が向上できるようにするとともに、体液の漏れが防止でき、装着性が良好な吸収性物品を提供することにある。
【課題を解決するための手段】
【００１１】
上記課題を解決するために請求項１に係る本発明として、透液性表面シートと不透液性裏面シートとの間に吸収体が介在された吸収性物品において、
少なくとも体液排出部に対応する領域の両側に、吸収性物品の長手方向に沿って延びるとともに、前記透液性表面シートから前記吸収体にかけて窪ませた表面エンボスと、前記表面エンボスより幅方向中央側に離間した位置で前記表面エンボスに沿って延びるとともに、前記吸収体を窪ませて前記透液性表面シートと吸収体との間に空間部を形成する吸収体エンボスとが備えられており、
体液排出部に対応する領域に、肌側に増厚した前記吸収体の中高部が形成され、
前記吸収体エンボスは、前記中高部を通る位置において、前記中高部及び吸収体を一体的に窪ませて形成されていることを特徴とする吸収性物品が提供される。
【００１２】
上記請求項１記載の発明では、少なくとも体液排出部に対応する領域の両側に、吸収性物品の長手方向に沿って延びる表面エンボスと、この表面エンボスより幅方向中央側に離間した位置で前記表面エンボスに沿って延びる吸収体エンボスとが備えられている。前記表面エンボスは、透液性表面シートから吸収体にかけて一体的に窪ませた凹溝である。一方、前記吸収体エンボスは、前記吸収体を窪ませて透液性表面シートと吸収体との間に空間部が形成されるようにした凹溝である。従って、吸収体に吸収され吸収体内を幅方向外側に拡散する体液は、前記吸収体エンボスにおいて吸収体エンボスに沿った吸収性物品の長手方向への拡散に変換される。このため、吸収体の広い範囲に体液が拡散でき、体液の吸収量が向上する。また、透液性表面シートの表面を幅方向外側に流れる体液は、表面エンボスに入り込んで幅方向外側への流れが塞き止められるとともに、この表面エンボスに沿って吸収性物品の長手方向に拡散しながら、吸収体に吸収保持されるようになる。
【００１３】
更に、本吸収性物品は、装着状態で、前記表面エンボスを可撓軸として、中央部が体液排出部にフィットするように肌側に隆起するとともに、両側部が脚の付け根の内側にフィットするように非肌側に変形する。このとき、表面エンボスの内側に吸収体エンボスが設けられ、表面エンボスより外側にはエンボス部が形成されていないため、表面エンボスより外側部分が脚の付け根の内側に柔らかくフィットし、装着性が良好になるとともに、表面エンボスより内側では、表面がほぼ平坦に形成されているため、体液排出部に隙間なく密着して装着性が良好になる。
【００１４】
また、上記請求項１記載の発明では、体液排出部に対応する領域に、肌側に増厚した吸収体の中高部が形成された吸収性物品において、前記吸収体エンボスは、前記中高部を通る位置において、前記中高部及び吸収体を一体的に窪ませることにより形成している。このように、前記吸収体エンボスは、中高部が設けられた中央部を肌側にフィットさせる表面エンボスより幅方向中央側に形成されるものであり、装着時に吸収体を変形させるというものではなく、吸収体に吸収された体液を吸収性物品の長手方向に拡散させるという役割を担うために設けられている。
【００１５】
請求項２に係る本発明として、前記表面エンボスと前記吸収体エンボスとの吸収性物品の幅方向の離間距離は、５〜１５ｍｍである請求項１記載の吸収性物品が提供される。
【００１６】
上記請求項２記載の発明では、表面エンボスと吸収体エンボスとの吸収性物品の幅方向の離間距離を５〜１５ｍｍとしている。この離間距離が５ｍｍ未満では、吸収体エンボスに沿って吸収性物品の長手方向に拡散する体液が、表面エンボスに移行しやすく、更に外側に拡散したときに漏れが発生するおそれがある。また、前記離間距離が１５ｍｍを超えると、吸収体エンボスが吸収性物品の中央部に位置するようになり、肌面への装着感が低下するおそれがある。
【００１７】
請求項３に係る本発明として、前記吸収体エンボスは、前記体液排出部に対応する領域を含むとともに、前記表面エンボスの長さの１／２以上の長さで形成されている請求項１、２いずれかに記載の吸収性物品が提供される。
【００１８】
上記請求項３記載の発明では、吸収体に吸収された体液を吸収性物品の長手方向に確実に拡散させるため、吸収体エンボスを、前記体液排出部に対応する領域を含むとともに、前記表面エンボスの長さの１／２以上の長さで形成している。
【００１９】
請求項４に係る本発明として、前記吸収体エンボスの後端部は、圧搾部と非圧搾部とが交互に配置された破線状に形成されている請求項１〜３いずれかに記載の吸収性物品が提供される。
【００２０】
上記請求項４記載の発明では、吸収体エンボスに沿って吸収性物品の後方に拡散した体液が吸収体の後端から漏れるのを防止するため、吸収体エンボスの後端部を、圧搾部と非圧搾部とが交互に配置された破線状に形成することによって、、該吸収体エンボスに沿った体液の拡散を低減している。
【００２１】
請求項５に係る本発明として、両側の前記吸収体エンボスは、前端同士が接続している請求項１〜４いずれかに記載の吸収性物品が提供される。
【００２２】
上記請求項５記載の発明では、両側の吸収体エンボスの前端同士を接続することによって、体液排出部に対応する領域で吸収体に吸収された体液が吸収体エンボスに沿って吸収体の全体に拡散しやすしている。
【発明の効果】
【００２３】
以上詳説のとおり本発明によれば、体液が吸収体全体に拡散して吸収量が向上できるとともに、体液の漏れが防止でき、装着性が良好になる。
【図面の簡単な説明】
【００２４】
【図１】本発明に係る生理用ナプキン１の一部破断展開図である。
【図２】図１のII−II線矢視図である。
【図３】図１のIII−III線矢視図である。
【図４】生理用ナプキン１の装着状態を示す、図１のII−II線矢視図である。
【図５】吸収体４の平面図である。
【図６】変形例に係る吸収体４の平面図である。
【図７】変形例に係る吸収体４の平面図である。
【発明を実施するための形態】
【００２５】
以下、本発明の実施の形態について図面を参照しながら詳述する。
【００２６】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００２７】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２８】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００２９】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３０】
前記サイド不織布７は、図２及び図３に示されるように、幅方向中間部より外側部分を所定の内側位置から不透液性裏面シート２の外縁までの範囲に亘ってホットメルトなどの接着剤によって接着し、これら前記サイド不織布７と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００３１】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、図２に示されるように、外側に傾斜しながら表面側に起立する直線状の立体ギャザーＢＳ、ＢＳが左右対で形成されている。
【００３２】
〔吸収体〕
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、２５０〜６５０ｇ／ｍ２、好ましくは３００〜４００ｇ／ｍ２とするのがよい。
【００３３】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３４】
前記吸収体４の肌側面には、肌側に増厚された吸収体の中高部６が形成されている。前記吸収体４及び中高部６は、それぞれ別個に製造した後、組立工程で積層してもよいし、吸収体を立体的に積繊することによって一体的に形成してもよい。また、吸収体４の上段に中高部６を積繊する二段積繊構造としてもよい。
【００３５】
前記中高部６は、吸収体４の肌側面に隣接するとともに、吸収体４の幅方向中央部に配置され、吸収体４より幅寸法及び長手寸法が小さく形成されている。前記中高部６の厚みは、厚すぎると剛性が上がり身体への密着性が低下するし、薄すぎると体液排出部Ｈとの密着性が低下するため３〜２５ｍｍ、好ましくは５〜１８ｍｍとするのがよい。また、前記中高部６が配置された部分の中高部６と吸収体４との合計目付は、４００〜９００ｇ／ｍ２、特に６００〜８００ｇ／ｍ２とするのがよい。
【００３６】
前記中高部６は、着用者の体液排出部Ｈを含む領域、具体的には体液排出部Ｈより前側及び後側に若干長い領域に形成されている。前記中高部６は、ナプキン前後方向に長い縦長に形成され、両側縁がナプキン長手方向に延びる直線で形成されている。
【００３７】
前記中高部６は、少なくともパルプ繊維と合成繊維とを含むとともに、前記パルプ繊維：合成繊維の比率を重量換算で８０〜２０：２０〜８０、好ましくは４０〜６０：６０〜４０で混合したものが望ましい。また、前記中高部６は吸水性ポリマーを含有することができる。前記吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する吸水性ポリマーは製造プロセスにおいて、架橋密度および架橋密度勾配を調整することにより吸水力と吸水速度の調整が可能である。配合量は中高部６が吸収体４側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、吸水性ポリマー含有率が５０％を超える場合にはパルプ繊維間の絡み合いが無くなり、シート強度が低下し破れや割れ等が発生し易くなるため望ましくない。
【００３８】
前記中高部６としては、図示しないが、着用者の体液排出部Ｈを含む領域から臀部溝を含む領域にかけて設けられた細長状のものを用いてもよい。
【００３９】
〔エンボス〕
本生理用ナプキン１では、少なくとも体液排出部Ｈに対応する領域の両側に、生理用ナプキン１の長手方向に沿って延びるとともに、透液性表面シート３から吸収体４にかけて窪ませた表面エンボス１０と、前記表面エンボス１０より幅方向中央側に離間した位置で前記表面エンボス１０に沿って延びるとともに、吸収体４を窪ませて透液性表面シート３と吸収体４との間に空間部１２を形成する吸収体エンボス１１とが備えられている。
【００４０】
前記表面エンボス１０は、透液性表面シート３の肌当接面側（表面側）からの圧搾により、透液性表面シート３から吸収体４にかけて一体的に窪ませた凹溝である。
【００４１】
前記吸収体エンボス１１は、吸収体４又は被包シート５で囲繞された吸収体４の肌当接面側（表面側）からの圧搾により、吸収体４のみ又は被包シート５及び吸収体４を窪ませるとともに、図２に示されるように、吸収体４の肌側面に透液性表面シート３を配置した状態で、透液性表面シート３と吸収体４との間に空間部１２が形成されるようにした凹溝である。
【００４２】
前記表面エンボス１０及び吸収体エンボス１１を備えることによって、本生理用ナプキン１では、以下の作用効果を奏する。体液排出部Ｈに対応する領域に排出された体液は、中高部６及び吸収体４に吸収された後、中高部６及び吸収体４内を拡散する。ここで、生理用ナプキン１の幅方向外側に拡散する体液は、前記吸収体エンボス１１において圧密化された繊維の毛管作用により吸収体エンボス１１に沿った生理用ナプキン１の長手方向への拡散に変換される。これによって、吸収体４の広い範囲に体液が拡散でき、体液の吸収量が増加できる。また、体液排出部Ｈに対応する領域において、吸収体４に吸収されずに、透液性表面シート３の表面を流れる体液は、表面エンボス１０に達すると、表面エンボス１０に入り込んで幅方向外側への流れが塞き止められるとともに、この表面エンボス１０に沿って生理用ナプキン１の長手方向に拡散しながら、吸収体４に吸収保持される。このようにして、体液が吸収体４の広い範囲に吸収されるため、体液の漏れが防止できる。
【００４３】
更に、本生理用ナプキン１は、装着状態で、前記表面エンボス１０を可撓軸として、中央部が体液排出部Ｈにフィットするように肌側に隆起するとともに、両側部が脚の付け根の内側にフィットするように非肌側に変形する。このとき、表面エンボス１０の内側に吸収体エンボス１１が設けられ、表面エンボス１０より外側にはエンボス部が形成されないため、表面エンボス１０より外側部分が脚の付け根の内側部分に柔らかくフィットし、装着性が良好になるとともに、表面エンボス１０より内側では、表面がほぼ平坦に形成されているため、体液排出部Ｈに隙間なく密着して装着性が良好になる。
【００４４】
また、前記吸収体エンボス１１は、吸収体４を窪ませることにより透液性表面シート３と吸収体４との間に空間部１２が形成されているため、吸収体エンボス１１に沿って拡散した体液が表面側に透けて見えにくく、隠蔽性が高くなる。そのため、着用者に漏れにくいという安心感を与えるようになる。
【００４５】
以下、前記表面エンボス１０及び吸収体エンボス１１について、更に詳細に説明する。
【００４６】
前記表面エンボス１０は、中高部６より生理用ナプキン１の外側位置に設けられている。体液排出部Ｈに対応する領域において、中高部６の両側に設けられた表面エンボス１０（後述する前側表面エンボス１０Ａ）は、中高部６の両側に近接して、中高部６より幅方向外側に設けられている。これにより、図４に示されるように、生理用ナプキン１の装着時に、両側から脚圧を受けることにより、前記表面エンボス１０を可撓軸として、中高部６が設けられた中央部が肌側に隆起するとともに、両側部が脚の付け根の内側にフィットするように変形する。
【００４７】
前記表面エンボス１０は、少なくとも体液排出部Ｈに対応する領域の両側に形成されていればよい。体液排出部Ｈに対応する領域とは、生理用ナプキン１の装着時に着用者の体液排出部Ｈが当接する部位を全て含む幅方向中央部の領域であり、そのナプキン長手方向の範囲は、両側にウイング状フラップＷが備えられたものでは、概ねこのウイング状フラップＷの長手範囲に相当する。図１に示される形態例では、前記表面エンボス１０は、体液排出部Ｈに対応する領域から臀部溝に対応する領域にかけて形成されている。
【００４８】
図１に示される生理用ナプキン１では、前記表面エンボス１０として、体液排出部Ｈに対応する領域から臀部溝に対応する領域にかけての両側部にそれぞれ、ナプキン１のほぼ長手方向に沿う連続線によって形成された前側表面エンボス１０Ａと、この前側表面エンボス１０Ａの後側に離間して配置されるとともに、臀部溝に対応する領域の両側部にそれぞれ、ナプキン１のほぼ長手方向に沿う連続線によって形成された後側表面エンボス１０Ｂと、前記前側表面エンボス１０Ａの前側に離間して配置されるとともに、生理用ナプキン１のほぼ幅方向に沿って形成された三日月形の平面形状からなる前端表面エンボス１０Ｃと、前記後側表面エンボス１０Ｂの後側に離間して配置されるとともに、ナプキン１の長手方向中心線を幅方向に横断し、後方に向けて突出する湾曲形の平面形状からなる後端表面エンボス１０Ｄとから構成されている。図示例では、前側表面エンボス１０Ａと後側表面エンボス１０Ｂとは離間して配置されているが、前記前側表面エンボス１０Ａと後側表面エンボス１０Ｂとを連続させた連続線で構成してもよい。
【００４９】
前記前側表面エンボス１０Ａは、図１に示されるように、少なくとも前記中高部６の両側に配置されるとともに、後端部が着用者の臀部溝の前側に若干かかる位置まで延在している。
【００５０】
前記前側表面エンボス１０Ａは、生理用ナプキン１の長手方向に沿う直線としてもよいが、装着時に隆起する中央部が人体の形状に沿ってフィットしやすいように１又は複数の部位で生理用ナプキン１の幅方向内側又は外側に突出した曲線部を有する形状で形成するのが好ましい。
【００５１】
前記前側表面エンボス１０Ａの後端は、幅方向内側に傾斜しているのが好ましい。後端が幅方向内側に傾斜することにより、前側表面エンボス１０Ａに沿って拡散した体液が、後端部で幅方向内側に向かう流れとなりやすく、更に後側に拡散したときに、幅方向外側への拡散が抑制され、吸収体４の側端からの漏れが防止できる。更に、前記前側表面エンボス１０Ａの後側に隣接する後側表面エンボス１０Ｂの前端は、前記前側表面エンボス１０Ａの後端より幅方向外側位置にて、幅方向外側に傾斜しているのが好ましい。これにより、前側表面エンボス１０Ａから後側表面エンボス１０Ｂに拡散した体液が、後側表面エンボス１０Ｂの幅方向内側に入り込みやすくなり、後側表面エンボス１０Ｂより幅方向外側への拡散がより確実に防止できる。
【００５２】
これと同様に、後側表面エンボス１０Ｂの後端と、後端表面エンボス１０Ｄの前端との関係についても、後側表面エンボス１０Ｂの後端が幅方向内側に傾斜するとともに、後端表面エンボス１０Ｄの前端が後側表面エンボス１０Ｂの後端より幅方向外側位置にて、幅方向外側に傾斜して形成するのが好ましい。
【００５３】
図５に示されるように、体液排出部Ｈに対応する領域における両側の表面エンボス１０、１０の離間距離Ｂは、装着時に表面エンボス１０、１０を可撓軸としてこれら表面エンボス１０、１０で挟まれた中央部を肌側に隆起させて体液排出部Ｈに密着させるようにするため、人体の体液排出部Ｈの幅とほぼ同等に形成するのが好ましい。具体的に、前記離間距離Ｂとしては、４０〜６０ｍｍ程度が好ましい。
【００５４】
次に、前記吸収体エンボス１１について、図５に基づいて説明すると、前記吸収体エンボス１１は、前記中高部６を通る位置において、図２に示されるように、前記中高部６及び吸収体４を一体的に窪ませることにより形成するのが好ましい。前記吸収体エンボス１１は、中高部６が設けられた中央部を肌側に隆起して肌面にフィットさせるという表面エンボス１０より幅方向中央側に形成されるものであり、装着時に吸収体を変形させるというものではなく、吸収体に吸収された体液を生理用ナプキン１の長手方向に拡散させるという役割を担うために設けられるものである。従って、前記吸収体エンボス１１は、着用者の体液排出部Ｈに密着して体液を吸収する中高部６の両側部を通る位置に配置することにより、中高部６に吸収された体液が素早く生理用ナプキン１の長手方向に拡散させることができ、幅方向に拡散して横漏れが生じるのが効果的に防止できるようになる。
【００５５】
前記吸収体エンボス１１は、前記表面エンボス１０と同様に、少なくとも体液排出部Ｈに対応する領域の両側に形成されていればよく、図５に示される形態例では、体液排出部Ｈに対応する領域から臀部溝に対応する領域にかけて形成されている。
【００５６】
図５に示される形態例では、前記吸収体エンボス１１として、体液排出部Ｈに対応する領域から臀部溝に対応する領域にかけての両側部にそれぞれ、ナプキン１のほぼ長手方向に沿う連続線によって形成された前側吸収体エンボス１１Ａと、この前側吸収体エンボス１１Ａの後側に離間して配置されるとともに、臀部溝に対応する領域の両側部にそれぞれ、ナプキン１のほぼ長手方向に沿う連続線によって形成された後側吸収体エンボス１１Ｂと、前記後側吸収体エンボス１１Ｂの後側に離間して配置されるとともに、ナプキン１の長手方向中心線を幅方向に横断し、後方に向けて突出する湾曲形の平面形状からなる後端吸収体エンボス１１Ｃとから構成されている。図示例では、前記前側表面エンボス１０Ａと後側表面エンボス１０Ｂとが離間して配置されているため、前側吸収体エンボス１１Ａと後側吸収体エンボス１１Ｂとが離間して配置されているが、前記前側表面エンボス１０Ａと後側表面エンボス１０Ｂとを連続させた連続線で構成した場合には、これと同じように、前側吸収体エンボス１１Ａと後側吸収体エンボス１１Ｂとを連続させた連続線で構成してもよい。
【００５７】
前記前側吸収体エンボス１１Ａは、図５に示されるように、少なくとも前記中高部６を通る位置に配置されるとともに、後端部が着用者の臀部溝の前側に若干かかる位置まで延在している。
【００５８】
前記吸収体エンボス１１の平面形状は、表面エンボス１０に沿う形状で形成されており、前記表面エンボス１０の平面形状とほぼ一致する形状又は類似する形状で形成するのが好ましい。前記吸収体エンボス１１が表面エンボス１０に沿う形状とは、表面エンボス１０と吸収体エンボス１１との生理用ナプキン１の幅方向の離間距離が、生理用ナプキン１の長手方向に沿ってほぼ一定に形成されたものである。前記表面エンボス１０と吸収体エンボス１１との離間距離をほぼ一定にすることにより、吸収体エンボス１１に沿って拡散する体液が、離間距離が短い部分で表面エンボス１０に向けて拡散し、この部分に体液が集中することによる漏れが防止できるようになる。
【００５９】
前記表面エンボス１０と吸収体エンボス１１との生理用ナプキン１の幅方向の離間距離Ａは、５〜１５ｍｍとするのが好ましい。前記離間距離Ａが５ｍｍ未満では、吸収体エンボス１１に沿って生理用ナプキン１の長手方向に拡散する体液が、外側の表面エンボス１０に移行しやすく、更に外側に拡散したときに漏れが発生するおそれがある。また、前記離間距離Ａが１５ｍｍを超えると、体液排出部Ｈに対応する領域の両側に配置された表面エンボス１０、１０の離間距離（中高部６の幅）が人体の体液排出部Ｈの幅とほぼ同等に形成されている関係上、両側の吸収体エンボス１１が生理用ナプキン１の中央部で接近するようになり、体液排出部Ｈに密着したときに吸収体エンボス１１の硬さを感じやすく、肌面への装着感が低下するおそれがある。
【００６０】
体液排出部Ｈに対応する領域に設けられた前記吸収体エンボス１１（前側吸収体エンボス１１Ａ）は、体液排出部Ｈに対応する領域を含むとともに、この体液排出部Ｈに対応する領域に設けられた前記表面エンボス１０（前側表面エンボス１０Ａ）の長さの１／２以上の長さで形成するのが好ましい。これにより、体液排出部Ｈに対応する領域において吸収体４及び中高部６に吸収された体液を、生理用ナプキン１の長手方向に確実に拡散させることができ、幅方向端部からの漏れが確実に防止できるようになる。
【００６１】
前記表面エンボス１０と、この表面エンボス１０の内側に沿って設けられた吸収体エンボス１１とは、前端及び後端のいずれか一方又は両方が生理用ナプキン１の幅方向に対してほぼ一致する位置に形成してもよいし、吸収体エンボス１１の方が表面エンボス１０より短く形成してもよい。表面エンボス１０と吸収体エンボス１１との前端及び後端のいずれか一方又は両方が生理用ナプキン１の幅方向にほぼ一致する位置に形成することにより、身体へのフィット性が良好になり、体液を吸収体全体に拡散させることができるようになる。これらの端縁が生理用ナプキン１の幅方向にほぼ一致するとは、端縁同士のナプキン長手方向の離間距離が５ｍｍ以内、好ましくは３ｍｍ以内にあることを意味する。図５に示される形態例では、前側表面エンボス１０Ａと、この前側表面エンボス１０Ａの内側に沿って設けられた前側吸収体エンボス１１Ａとは、前端及び後端が生理用ナプキン１の幅方向にほぼ一致する位置に形成されている。また、後側表面エンボス１０Ｂと、この後側表面エンボス１０Ｂの内側に沿って設けられた後側吸収体エンボス１１Ｂとは、前端及び後端が生理用ナプキン１の幅方向にほぼ一致する位置に形成されている。一方、後端表面エンボス１０Ｄと、この後端表面エンボス１０Ｄの内側に沿って設けられた後端吸収体エンボス１１Ｃとは、前端及び後端が生理用ナプキン１の幅方向に一致せず、後端吸収体エンボス１１Ｃの方が後端表面エンボス１０Ｄより短く形成されている。
【００６２】
前記吸収体エンボス１１の後端部（後端吸収体エンボス１１Ｃ）は、図５に示されるように、溝方向に沿って、圧搾部と非圧搾部とが交互に配置された破線状に形成するのが好ましい。これにより、後端吸収体エンボス１１Ｃにおいて、体液が溝方向に沿って拡散するのが抑制され、体液が後端部に集中して吸収体４の後端から漏れるのが防止できる。図５に示される例では、後端吸収体エンボス１１Ｃが吸収体４の後端部に独立的に配置されているため、この後端吸収体エンボス１１Ｃ全体を破線状に形成しているが、吸収体エンボス１１が前側から連続する連続線状に形成される場合には、この連続線の後端部の一定長さ部分を破線状に形成することができる。
【００６３】
なお、前記後端吸収体エンボス１１Ｃは、図６に示されるように、連続線状に形成してもよい。
【００６４】
上記形態例では、図５に示されるように、両側の吸収体エンボス１１、１１（前側吸収体エンボス１１Ａ、１１Ａ）は、前端が長手方向中心線の両側にそれぞれ配置されることにより左右に離間しているが、図７に示されるように、前端同士が接続するようにしてもよい。すなわち、一方側の前側吸収体エンボス１１Ａの前端と、他方側の前側吸収体エンボス１１Ａの前端とを結ぶ生理用ナプキン１の前側に突出する曲線からなる前端吸収体エンボス１１Ｄを設けてもよい。両側の吸収体エンボス１１、１１を前端で連続させることによって、体液排出部Ｈに対応する領域で吸収体４に吸収された体液が、吸収体エンボス１１、１１に沿って吸収体４の全体に拡散しやすくなる。
【００６５】
前記吸収体エンボス１１は、少なくとも体液排出部Ｈに対応する領域において連続線で形成するのが望ましく、少なくとも前記前側吸収体エンボス１１Ａを連続線で形成するのがより望ましい。それ以外の部分は、連続線でもよいし間欠的な破線でもよい。
【００６６】
前記表面エンボス１０及び吸収体エンボス１１は、凹溝の底面が平坦に形成された全長に亘ってほぼ均一に圧搾されたものでもよいし、凹溝の底面に凹凸が設けられた高圧搾部と低圧搾部とを備えるものでもよい。
【符号の説明】
【００６７】
１…生理用ナプキン、２…不透液性裏面シート、３…透液性表面シート、４…吸収体、５…被包シート、６…中高部、７…サイド不織布、９…糸状弾性伸縮部材、１０…表面エンボス、１１…吸収体エンボス、１２…空間部